(57)【要約】【課題】本体から表示ユニットを取り外して使用することが可能な生体計測装置の防水機能を高める。【解決手段】体重や体組成情報などの計測結果を表示する表示ユニット２０を本体１０から取り外して使用することが可能な生体計測装置１において、本体１０に表示ユニット２０が取り付けられると、本体１０に設けられた通信端子１２４と表示ユニット２０に設けられた通信端子２０６との接触部分が防水ゴム１２で密閉される。【選択図】図６
2010075560.tif 000002
【特許請求の範囲】
【請求項１】
通信用の第１端子を有し、生体を計測する本体と、
通信用の第２端子を有し、前記本体による計測結果に基づいた生体情報を表示する表示ユニットとを備え、
前記本体に前記表示ユニットが取り付けられると、前記第１端子と前記第２端子が互いに接触し、前記本体−前記表示ユニット間の通信が可能になる生体計測装置において、
前記本体と前記表示ユニットのいずれか１方以上には、前記本体に前記表示ユニットが取り付けられると、前記第１端子と前記第２端子との接触部分を密閉する防水ゴムが設けられている
ことを特徴とする生体計測装置。
【請求項２】
前記防水ゴムは、
前記本体に設けられている場合、前記第１端子のうち前記第２端子と接触する部分の周囲を囲む隆起部を有し、前記本体に前記表示ユニットが取り付けられると、前記隆起部が前記表示ユニットの筐体に密着して前記第１端子と前記第２端子との接触部分を密閉し、
前記表示ユニットに設けられている場合、前記第２端子のうち前記第１端子と接触する部分の周囲を囲む隆起部を有し、前記本体に前記表示ユニットが取り付けられると、前記隆起部が前記本体の筐体に密着して前記第１端子と前記第２端子との接触部分を密閉し、
前記本体と前記表示ユニットの両方に設けられている場合、前記本体側の防水ゴムは、前記第１端子のうち前記第２端子と接触する部分の周囲を囲む隆起部を有し、前記表示ユニット側の防水ゴムは、前記第２端子のうち前記第１端子と接触する部分の周囲を囲む隆起部を有し、前記本体に前記表示ユニットが取り付けられると、前記隆起部同士が密着して前記第１端子と前記第２端子との接触部分を密閉する
ことを特徴とする請求項１に記載の生体計測装置。
【請求項３】
前記本体には、前記表示ユニットを収容するための収容部が当該本体の上面から側面に至る一部分を切り欠いて形成されており、
前記第１端子は、前記収容部によって切り欠かれた前記本体の側面と対向する前記収容部の側面に設けられ、
前記第２端子は、前記表示ユニットのうち、当該表示ユニットを前記収容部に収容した場合に前記第１端子と向かい合う位置に設けられ、
前記表示ユニットと前記収容部には係止部が設けられ、当該係止部は、前記表示ユニットを前記収容部に固定すると共に、前記収容部によって切り欠かれた前記本体の側面から当該側面と対向する前記収容部の側面に向かう方向の付勢力を前記表示ユニットに加える
ことを特徴とする請求項１または２に記載の生体計測装置。
【請求項４】
前記係止部は、前記収容部の底面と当該底面と向かい合う前記表示ユニットの背面との間に隙間を空けて前記表示ユニットを前記収容部に固定する
ことを特徴とする請求項３に記載の生体計測装置。
【請求項５】
前記収容部の底面は傾斜しており、前記収容部によって切り欠かれた前記本体の側面に向けて漸次低くなる
ことを特徴とする請求項３または４に記載の生体計測装置。
【請求項６】
前記収容部には排水用の溝が形成されている
ことを特徴とする請求項３乃至５のうちいずれか１項に記載の生体計測装置。
【請求項７】
前記収容部のうち前記第１端子が設けられた側面には、前記収容部によって切り欠かれた前記本体の側面に向けて突出するひさしが前記第１端子の上部に設けられている
ことを特徴とする請求項３乃至６のうちいずれか１項に記載の生体計測装置。
【請求項８】
前記ひさしは斜め上方に突出している
ことを特徴とする請求項７に記載の生体計測装置。
【発明の詳細な説明】
【技術分野】
【０００１】
本発明は、体重計や体組成計などの生体計測装置に関する。
【背景技術】
【０００２】
体重計や体組成計などの生体計測装置の中には、特許文献１に記載されているように、体重や体脂肪率などの計測結果を表示する表示ボックス２を本体１から取り外して使用することができるものがある。また、この特許文献１には、本体１−表示ボックス２間の通信を無線通信によって行う構成に加え、本体１に表示ボックス２が取り付けられると、本体１に設けられた接続端子３３と表示ボックス２に設けられた接続端子３４が接触し、本体１−表示ボックス２間の通信が可能になる構成が開示されている。
【特許文献１】特許第３６８８１８４号公報
【発明の開示】
【発明が解決しようとする課題】
【０００３】
ところで、体重計や体組成計などの生体計測装置は、脱衣所や洗面所など比較的濡れやすい場所に置かれていることが多い。このため、特許文献１に記載されているように接続端子３３，３４を介して本体１−表示ボックス２間の通信を行う構成の場合、接続端子３３と接続端子３４との接触部分に水が入ると、本体１−表示ボックス２間の通信に支障をきたすおそれがある。
本発明は、上述した課題に鑑みてなされたものであり、その目的は、本体から表示ユニットを取り外して使用することが可能な生体計測装置の防水機能を高めることである。
【課題を解決するための手段】
【０００４】
以上の課題を解決するため、本発明に係る生体計測装置は、通信用の第１端子を有し、生体を計測する本体と、通信用の第２端子を有し、前記本体による計測結果に基づいた生体情報を表示する表示ユニットとを備え、前記本体に前記表示ユニットが取り付けられると、前記第１端子と前記第２端子が互いに接触し、前記本体−前記表示ユニット間の通信が可能になる生体計測装置において、前記本体と前記表示ユニットのいずれか１方以上には、前記本体に前記表示ユニットが取り付けられると、前記第１端子と前記第２端子との接触部分を密閉する防水ゴムが設けられていることを特徴とする。
【０００５】
なお、生体情報は、生体を計測して得ることのできる、例えば、体重、生体インピーダンス、体脂肪率、体水分量、筋肉量、内臓脂肪面積、骨密度、基礎代謝量、血圧、体温のうち、いずれか１以上の情報である。
【０００６】
以上の構成によれば、本体に表示ユニットが取り付けられると、本体と表示ユニットのいずれか一方以上に設けられた防水ゴムによって、本体側の第１端子と表示ユニット側の第２端子との接触部分が密閉される。よって、第１端子と第２端子との接触部分に水が入ることを防ぐことができる。
【０００７】
また、上述したいずれかの生体計測装置において、前記防水ゴムは、前記本体に設けられている場合、前記第１端子のうち前記第２端子と接触する部分の周囲を囲む隆起部を有し、前記本体に前記表示ユニットが取り付けられると、前記隆起部が前記表示ユニットの筐体に密着して前記第１端子と前記第２端子との接触部分を密閉し、前記表示ユニットに設けられている場合、前記第２端子のうち前記第１端子と接触する部分の周囲を囲む隆起部を有し、前記本体に前記表示ユニットが取り付けられると、前記隆起部が前記本体の筐体に密着して前記第１端子と前記第２端子との接触部分を密閉し、前記本体と前記表示ユニットの両方に設けられている場合、前記本体側の防水ゴムは、前記第１端子のうち前記第２端子と接触する部分の周囲を囲む隆起部を有し、前記表示ユニット側の防水ゴムは、前記第２端子のうち前記第１端子と接触する部分の周囲を囲む隆起部を有し、前記本体に前記表示ユニットが取り付けられると、前記隆起部同士が密着して前記第１端子と前記第２端子との接触部分を密閉する構成であってもよい。
この構成によれば、防水ゴムの隆起部を、当該隆起部と対向する筐体（表示ユニットまたは本体）と密着させること、あるいは本体と表示ユニットの両方に設けられた防水ゴムの隆起部同士を密着させることで、第１端子と第２端子との接触部分を密閉することができる。
【０００８】
また、上述したいずれかの生体計測装置において、前記本体には、前記表示ユニットを収容するための収容部が当該本体の上面から側面に至る一部分を切り欠いて形成されており、前記第１端子は、前記収容部によって切り欠かれた前記本体の側面と対向する前記収容部の側面に設けられ、前記第２端子は、前記表示ユニットのうち、当該表示ユニットを前記収容部に収容した場合に前記第１端子と向かい合う位置に設けられ、前記表示ユニットと前記収容部には係止部が設けられ、当該係止部は、前記表示ユニットを前記収容部に固定すると共に、前記収容部によって切り欠かれた前記本体の側面から当該側面と対向する前記収容部の側面に向かう方向の付勢力を前記表示ユニットに加える構成であってもよい。
【０００９】
この構成によれば、係止部によって表示ユニットに付勢力が加えられ、この付勢力によって、第１端子と第２端子との接触を確実にすると共に、防水ゴムの隆起部と、当該隆起部と対向する筐体（表示ユニットまたは本体）との密着度を高めることができる。したがって、第１端子と第２端子との接触部分の密閉度を高め、当該接触部分に水が入ることを確実に防ぐことができる。なお、係止部は、例えば、後述する実施形態に記載している突起２２ａ，２２ｂおよび突起１５ａ，１５ｂや、係合爪１６および係合孔２１である。
【００１０】
また、上述した生体計測装置において、前記係止部は、前記収容部の底面と当該底面と向かい合う前記表示ユニットの背面との間に隙間を空けて前記表示ユニットを前記収容部に固定する構成であってもよい。この構成によれば、収容部に表示ユニットを取り付けた場合に、収容部の底面と表示ユニットの背面との間には隙間ができる。よって、この隙間を流路として収容部に入った水を外部に排水することができる。
【００１１】
また、上述した生体計測装置において、前記収容部の底面は傾斜しており、前記収容部によって切り欠かれた前記本体の側面に向けて漸次低くなる構成であってもよい。この構成によれば、収容部に入った水を底面の傾斜に沿って外部に排水することができる。
また、上述した生体計測装置において、前記収容部には排水用の溝が形成されている構成であってもよい。
【００１２】
また、上述した生体計測装置において、前記収容部のうち前記第１端子が設けられた側面には、前記収容部によって切り欠かれた前記本体の側面に向けて突出するひさしが前記第１端子の上部に設けられている構成であってもよい。また、前記ひさしは斜め上方に突出している構成であってもよい。この構成によれば、第１端子の上部に設けられたひさしによって、第１端子と第２端子との接触部分に水が入ることを防ぐことができる。なお、ひさしは、例えば、板状の部材を側面に取り付けたり、側面の一部を隆起させて形成することができる。
【発明を実施するための最良の形態】
【００１３】
以下、添付した図面を参照して本発明に係る実施の形態を説明する。
なお、以下の実施形態では、体重に加え、体脂肪率、体水分量、筋肉量、内臓脂肪面積、骨密度、基礎代謝量などを計測することが可能な体組成計に本発明を適用した場合について説明する。
【００１４】
＜Ａ．実施形態＞
図１は、体組成計１の全体構成を示す斜視図である。
同図に示すように体組成計１は、本体１０と、本体１０に対して着脱自在な表示ユニット２０を備える。本体１０の上面は体重を計測するための載せ台１０２になっている。また、載せ台１０２には、両足間の生体インピーダンスを計測するための通電用電極１０４ａ，１０４ｂと計測用電極１０４ｃ，１０４ｄが設けられている。通電用電極１０４ａと計測用電極１０４ｃは左足用の電極であり、通電用電極１０４ｂと計測用電極１０４ｄは右足用の電極である。また、本体１０のうち図中下側の側面には、計測の開始などを指示する複数の操作キー１０６が設けられている。一方、表示ユニット２０は、体重や体脂肪率などの計測結果を表示する表示部２０２と、表示部２０２の表示内容を切り替えたり、被験者の身体情報（身長、年齢、性別など）を入力するための複数の操作キー２０４を備える。
【００１５】
被験者は、体重や体脂肪率などを計測するにあたり、複数の操作キー１０６の中から事前に割り当てておいた自分用の操作キー１０６をつま先などで押した後、載せ台１０２の上にあがる。また、載せ台１０２の上において被験者は、通電用電極１０４ａと計測用電極１０４ｃの上に左足をおくと共に、通電用電極１０４ｂと計測用電極１０４ｄの上に右足をおく。この状態において体重および両足間の生体インピーダンスが本体１０により計測される。また、体重や体脂肪率などの計測結果が表示ユニット２０の表示部２０２に表示される。
【００１６】
図２は、体組成計１の電気的な構成を示すブロック図である。
同図に示すように本体１０は、電極部１０４と、高周波定電流回路１０８と、電圧測定回路１１０と、重量センサー部１１２と、増幅回路１１４と、切替部１１６と、Ａ／Ｄ変換回路１１８と、操作部１２０と、記憶部１２２と、通信端子１２４と、ＣＰＵ１２６を備える。
【００１７】
電極部１０４は、図１に示した通電用電極１０４ａ，１０４ｂと計測用電極１０４ｃ，１０４ｄを備える。高周波定電流回路１０８は、通電用電極１０４ａ，１０４ｂに高周波の微弱な定電流を印加する。この定電流が通電用電極１０４ａ，１０４ｂを介して被験者の足裏に印加される。電圧測定回路１１０は、計測用電極１０４ｃ，１０４ｄに生じる電位差を計測する。重量センサー部１１２は被験者の体重を計測する。増幅回路１１４は重量センサー部１１２からのデータを増幅する。切替部１１６は、ＣＰＵ１２６からの指示に応じて、Ａ／Ｄ変換回路１１８に接続する回路を、電圧測定回路１１０と増幅回路１１４のいずれか一方に切り替える。Ａ／Ｄ変換回路１１８は、電圧測定回路１１０や増幅回路１１４からのアナログ信号をデジタル信号に変換する。操作部１２０は、図１に示した複数の操作キー１０６を備える。記憶部１２２には、体脂肪率や体水分量などの体組成情報を算出するための計算式やデータテーブルが記憶されている。通信端子１２４は、表示ユニット２０が本体１０に取り付けられると、表示ユニット２０に備わる通信端子２０６と接続される。
【００１８】
ＣＰＵ１２６は、体重および生体インピーダンスの計測や、体組成情報の算出、表示ユニット２０との通信などを制御する。なお、電極部１０４，高周波定電流回路１０８，電圧測定回路１１０，切替部１１６，Ａ／Ｄ変換回路１１８，ＣＰＵ１２６により生体インピーダンス計測部が構成される。また、重量センサー部１１２，増幅回路１１４，切替部１１６，Ａ／Ｄ変換回路１１８，ＣＰＵ１２６により体重計測部が構成される。ＣＰＵ１２６は、体重計測部により計測された体重と、生体インピーダンス計測部により計測された生体インピーダンスと、通信端子１２４を介して表示ユニット２０から受信した被験者の身体情報（身長、年齢、性別など）と、記憶部１２２に記憶されている計算式やデータテーブルを用いて、体脂肪率、体水分量、筋肉量、内臓脂肪面積、骨密度、基礎代謝量などの体組成情報を算出する。
【００１９】
一方、表示ユニット２０は、図２に示すように、通信端子２０６と、操作部２０８と、記憶部２１０と、表示部２０２と、ＣＰＵ２１２を備える。
通信端子２０６は、表示ユニット２０が本体１０に取り付けられると、本体１０に備わる通信端子１２４と接続される。操作部２０８は、図１に示した複数の操作キー２０４を備える。これら複数の操作キー２０４には、メニューキーやアップキー、ダウンキーなどが含まれており、被験者はこれらの操作キー２０４を操作して身長、年齢、性別などの身体情報を入力することができる。記憶部２１０には、操作部２０８を操作して入力された被験者の身体情報が記憶されると共に、通信端子２０６を介して本体１０から受信した計測結果が蓄積される。表示部２０２には、体重や体組成情報などの計測結果や身体情報などが表示される。ＣＰＵ２１２は、身体情報の入力や、計測結果の表示、本体１０との通信などを制御する。
【００２０】
なお、本体１０から受信した計測結果は、計測日時や被験者の識別情報と共に記憶部２１０に蓄積される。したがって、表示部２０２には、例えば、ここ１ヶ月間の体重や体組成情報の推移などをグラフ形式で表示することも可能である。被験者は、操作部２０８を操作して、計測結果の表示態様を変更したり、記憶部２１０に蓄積されている計測結果の中から表示する計測結果を選択することができる。
【００２１】
また、本体１０（ＣＰＵ１２６）と表示ユニット２０（ＣＰＵ２１２）は、表示ユニット２０が本体１０に取り付けられ、通信端子１２４と通信端子２０６が互いに接続されると通信を行うことが可能になる。本体１０と表示ユニット２０との間では、計測結果（体重や体組成情報）や身体情報などが送受信される。また、本実施形態に係る体組成計１は、体重や体脂肪率などの計測を行う際に、表示ユニット２０を本体１０に取り付けておく必要があるが、表示ユニット２０を本体１０から取り外して使用することもできる。例えば、被験者は、本体１０から取り外された表示ユニット２０を使用して、身体情報を入力したり、記憶部２１０に記憶されている計測結果を表示部２０２に表示することができる。このため、表示ユニットを分離することができない一体型の体組成計に比べ、屈んだ姿勢で身体情報の入力や計測結果の確認を行う必要がない。
【００２２】
なお、身体情報とは、例えば、身長、年齢、性別のうちいずれか１以上の情報である。また、体組成情報とは、例えば、体脂肪率、体水分量、筋肉量、内臓脂肪面積、骨密度、基礎代謝量のうちいずれか１以上の情報である。また、体組成計１は、体重や体組成情報に加え、被験者の血圧や体温を計測する機能をさらに備えていてもよい。この場合、本体１０は、被験者の血圧を計測する血圧計測部や、被験者の体温を計測する体温計測部を備える。また、血圧計測部により計測された血圧の情報や体温計測部により計測された体温の情報が、体重や体組成情報などと共に本体１０から表示ユニット２０に送信され、表示部２０２に表示される。
【００２３】
図３および図４は、表示ユニット２０の外観を示す斜視図である。
図３に示すように表示ユニット２０の表側には、表示部２０２と８個の操作キー２０４が設けられている。また、図３および図４に示すように、表示ユニット２０のうち図中下側の側面には、６個の接点を備えた通信端子２０６が設けられている。この通信端子２０６に備わる６個の接点は、表示ユニット２０を本体１０に取り付けることによって、本体１０側の通信端子１２４に備わる６個の接点と互いに接触する。また、図３および図４には片方しか図示していないが、表示ユニット２０の両脇の側面には係合孔２１が設けられている。この係合孔２１は、後述する図５に示す係合爪１６と着脱自在に嵌合する。また、図４に示すように表示ユニット２０の背面には、６個の半球状の突起２２ａ〜２２ｆや電池蓋が設けられている。
【００２４】
図５は、収容部１１の構造を示す斜視図である。
同図に示すように本体１０には、表示ユニット２０を取り付けるための凹状の収容部１１が形成されている。この収容部１１は、図１を参照すると明らかになるように、本体１０のうち、左足用の電極１０４ａ，１０４ｃと右足用の電極１０４ｂ，１０４ｄの間の中央部分を、つま先側（載せ台１０２の上に載った被験者の前方）に位置する側面まで切り欠いて形成される。収容部１１のうち図中奥側の側面は、上段側面Ｕと下段側面Ｄに分かれており、下段側面Ｄの方が上段側面Ｕよりも図中手前側に突き出ている。下段側面Ｄには、６個の接点（ピン）を備えた通信端子１２４と防水ゴム１２が設けられている。防水ゴム１２は、通信端子１２４に備わる６個の接点の四方を取り囲む隆起部を有する。
【００２５】
また、下段側面Ｄにおいて通信端子１２４の上部には、通信端子１２４に水が流れ込まないようにするための防水用のひさし１３が設けられている。上段側面Ｕと下段側面Ｄとの間の段差の部分には排水溝１４ａが設けられ、収容部１１の両脇の一部には排水溝１４ｂ，１４ｃが設けられている。これらの排水溝１４ａ〜１４ｃは、収容部１１を真上から見たときコの字状につながっている。さらに、収容部１１の底面Ｖのうち図中手前側の端部（本体１０の側面に臨む端部）には、表示ユニット２０の背面に設けられた突起２２ａ，２２ｂ（図４参照）を係止し、表示ユニット２０を収容部１１に固定するための突起１５ａ，１５ｂが設けられている。また、図５には片方しか図示していないが、収容部１１の両脇の側面には、Ｐ字型の係合爪１６が設けられている。この係合爪１６は、表示ユニット２０に設けられた係合孔２１と着脱自在に嵌合する。なお、収容部１１の底面Ｖは、２．５度の傾斜がつけられており、通信端子１２４側から突起１５ａ，１５ｂ側に向かって徐々に低くなっている。
【００２６】
図６は、表示ユニット２０を収容部１１に取り付けた状態を示す断面図である。
同図に示すように表示ユニット２０が収容部１１に取り付けられると、表示ユニット２０の背面に設けられた突起２２ａ，２２ｂが、収容部１１の底面Ｖに設けられた突起１５ａ，１５ｂによって係止される。また、収容部１１の両サイドに設けられた係合爪１６が、表示ユニット２０の両サイドに設けられた係合孔２１に嵌め込まれる。これにより表示ユニット２０が収容部１１に固定される。
【００２７】
また、表示ユニット２０の突起２２ａ，２２ｂを収容部１１の突起１５ａ，１５ｂで係止することによって、表示ユニット２０には、図中、矢印で示す方向の付勢力Ｐが加わる。このため、本体１０側の通信端子１２４に備わる６個の接点と、表示ユニット２０側の通信端子２０６に備わる６個の接点が互いに接触する。また、表示ユニット２０に加わる付勢力Ｐによって、本体１０側に設けられた防水ゴム１２の隆起部が、表示ユニット２０の筐体（通信端子２０６の周囲の側面）と密着する。したがって、通信端子１２４と通信端子２０６との接触部分を密閉し、この部分に水が入ることを防ぐことができる。
【００２８】
また、表示ユニット２０の背面に設けられた６個の突起２２ａ〜２２ｆによって、表示ユニット２０の背面と収容部１１の底面Ｖとの間には排水用の隙間ができる。この隙間と、収容部１１の底面Ｖの傾斜と、収容部１１に設けられた排水溝１４ａ〜１４ｃによって、収容部１１に入った水を排水溝１４ａ〜１４ｃや底面Ｖに沿って流し、外部に排水することができる。
【００２９】
また、斜め上方に向かって突き出た防水用のひさし１３と、この防水用のひさし１３の根元に設けられた排水溝１４ａによって、図６において本体１０と表示ユニット２０の間から入ってきた水が、防水用のひさし１３を乗り越えて通信端子１２４，２０６の方に流れ込むことを防いでいる。また、同図に示すように防水用のひさし１３は、表示ユニット２０に設けられた凹部に嵌め込まれる。このひさし１３および凹部は、表示ユニット２０を収容部１１に固定する役割も果たす。すなわち、ひさし１３および凹部と、係合爪１６および係合孔２１は、表示ユニット２０を収容部１１に取り付けた状態で、本体１０を逆さまにひっくり返した場合であっても、表示ユニット２０が収容部１１から外れないよう、表示ユニット２０を収容部１１に固定している。
【００３０】
＜Ｂ．変形例＞
本発明は上述した実施形態に限定されるものではなく、例えば以下の変形が可能である。また、以下に示す２以上の変形例を適宜組み合わせることもできる。
［変形例１］
図７に示すように収容部１１’の底面Ｖの両脇に、排水溝１４ｂ，１４ｃと連通する排水溝１４ｄ，１４ｅを形成してもよい。また、排水溝１４ａは、両サイドに効率よく排水できるよう、中央部が最も高く、両脇に向かって徐々に低くなるよう傾斜がつけられていてもよい。
【００３１】
［変形例２］
上述した実施形態では、本体１０側に防水ゴム１２を設けた構成を例示したが、表示ユニット２０側に防水ゴムを設けてもよい。この場合、防水ゴムは、表示ユニット２０側の通信端子２０６の周囲に設けられ、通信端子２０６に備わる６個の接点の四方を取り囲む隆起部を有する。また、防水ゴムの隆起部は、表示ユニット２０が収容部１１に取り付けられると、表示ユニット２０に加わる付勢力Ｐにより、本体１０の筐体（通信端子１２４の周囲の下段側面Ｄ）と密着し、通信端子１２４と通信端子２０６との接触部分を密閉する。また、本体１０側に防水ゴム１２を設ける一方、表示ユニット２０側にも上述した防水ゴムを設け、表示ユニット２０が収容部１１に取り付けられると、表示ユニット２０に加わる付勢力Ｐにより、本体１０側の防水ゴム１２の隆起部と表示ユニット２０側の防水ゴムの隆起部とが互いに密着し、通信端子１２４と通信端子２０６との接触部分を密閉する構成であってもよい。
【００３２】
［変形例３］
上述した実施形態では、係止部として、（１）突起２２ａ，２２ｂと突起１５ａ，１５ｂ、（２）係合爪１６と係合孔２１、（３）ひさし１３と凹部を備えた構成を例示した。しかしながら、（２）と（３）のみ、あるいは係合爪１６と係合孔２１の数を増やせば（２）のみで、表示ユニット２０を収容部１１に固定すると共に、表示ユニット２０に付勢力Ｐを加えることができる。
【００３３】
［変形例４］
上述した実施形態では、防水ゴム１２と、傾斜した底面Ｖと、排水溝１４ａ〜１４ｃと、防水用のひさし１３を全て備えた構成を例示したが、防水ゴム１２を設けない構成としてもよい。また、排水溝１４ａ〜１４ｃを設けない構成や、収容部１１の底面Ｖに傾斜をつけない構成、あるいは防水用のひさし１３を設けない構成としてもよい。このように体組成計１（生体計測装置）は、防水ゴム１２と、傾斜した底面Ｖと、排水溝１４ａ〜１４ｃと、防水用のひさし１３のうち、いずれか１以上の防水構造を備えていればよい。
【００３４】
［変形例５］
本体１０および表示ユニット２０は、通信端子１２４，２０６を介した通信の他に、Bluetooth（登録商標）やIrDA（Infrared Data Association；登録商標）などの無線通信機能を備え、表示ユニット２０が本体１０（収容部１１）に取り付けられている場合には、通信端子１２４，２０６を介した通信を行う一方、表示ユニット２０が本体１０から取り外された場合には、無線通信によって本体１０−表示ユニット２０間の通信を行う構成であってもよい。この場合、表示ユニット２０を本体１０から取り外した状態においても体重や体脂肪率などの計測を行うことができる。
【００３５】
［変形例６］
収容部１１は、本体１０のうちいずれか１以上の側面に臨んで形成されていればよい。例えば、本体１０のうち右足用の通電用電極１０４ｂのそばの角部を切り欠いて収容部が形成されていてもよい。
また、表示ユニット２０において入力された被験者の身体情報（身長、年齢、性別など）は、表示ユニット２０が本体１０に取り付けられると本体１０側の記憶部１２２に記憶され、以降、この被験者について体重と生体インピーダンスの計測を行い、体組成情報を算出する際には、本体１０側の記憶部１２２から被験者の身体情報を読み出す構成としてもよい。
【００３６】
［変形例７］
例えば、本体１０では、体重を示す電圧値と、生体インピーダンスを示す両足間の電位差の値を得ると、これらの一次的な計測値を表示ユニット２０に送信し、表示ユニット２０において、本体１０から受信した一次的な計測値に基づいて、体重、生体インピーダンス、体組成情報を算出し、これらの値を表示部２０２に表示する構成としてもよい。この場合、表示ユニット２０の記憶部２１０に、本体１０から受信した一次的な計測値から、体重、生体インピーダンス、体組成情報を算出するための計算式やデータテーブルを記憶しておけばよい。また、この場合、体組成情報を算出する際に必要となる被験者の身体情報（身長、年齢、性別など）を本体１０に送信する必要がない。
また、本体１０では、体重を示す電圧値と、生体インピーダンスを示す両足間の電位差の値を得ると、これらの一次的な計測値から体重と生体インピーダンスの値を算出し、算出した体重と生体インピーダンスの値を表示ユニット２０に送信する構成であってもよい。この場合、表示ユニット２０において、本体１０から受信した体重と生体インピーダンスの値に基づいて体組成情報を算出し、算出した体組成情報や、本体１０から受信した体重と生体インピーダンスの値を表示部２０２に表示する。この場合、表示ユニット２０の記憶部２１０に、本体１０から受信した体重と生体インピーダンスの値から体組成情報を算出するための計算式やデータテーブルを記憶しておけばよい。また、この場合、体組成情報を算出する際に必要となる被験者の身体情報（身長、年齢、性別など）を本体１０に送信する必要がない。
【００３７】
［変形例８］
本発明に係る生体計測装置は、体組成計の他に、体脂肪計、体重計、体水分計などにも適用することができる。なお、体重計の場合は、生体インピーダンスを計測する必要がないので、生体インピーダンスを計測するための構成（例えば、電極部１０４、高周波定電流回路１０８、電圧測定回路１１０、切替部１１６）が不要となる。また、体重は、体重計測部によって直接的に計測することができる。したがって、体重計の場合は、被験者の身体情報（身長、年齢、性別など）を用いて演算を行う必要がない。つまり、体重計の場合は、体組成情報を算出する演算部が不要になると共に、演算用の計算式やデータテーブルを記憶部に記憶しておく必要がない。また、操作部を操作して被験者の身体情報を入力することや、入力された身体情報を記憶部に記憶しておく必要がない。
【図面の簡単な説明】
【００３８】
【図１】体組成計１の全体構成を示す斜視図である。
【図２】体組成計１の電気的な構成を示すブロック図である。
【図３】表示ユニット２０の外観（表側）を示す斜視図である。
【図４】表示ユニット２０の外観（裏側）を示す斜視図である。
【図５】収容部１１の構造を示す斜視図である。
【図６】表示ユニット２０を収容部１１に取り付けた状態を示す断面図である。
【図７】収容部１１’の構造（変形例）を示す斜視図である。
【符号の説明】
【００３９】
１…体組成計、１０…本体、１１，１１’…収容部、Ｕ…上段側面、Ｄ…下段側面、Ｖ…底面、１２…防水ゴム、１３…ひさし、１４ａ〜１４ｅ…排水溝、１５ａ，１５ｂ…突起、１６…係合爪、１０２…載せ台、１０４…電極部、１０４ａ，１０４ｂ…通電用電極、１０４ｃ，１０４ｄ…計測用電極、１０６…操作キー、１０８…高周波定電流回路、１１０…電圧測定回路、１１２…重量センサー部、１１４…増幅回路、１１６…切替部、１１８…Ａ／Ｄ変換回路、１２０…操作部、１２２…記憶部、１２４…通信端子、１２６…ＣＰＵ、２０…表示ユニット、２１…係合孔、２２ａ〜２２ｆ…突起、２０２…表示部、２０４…操作キー、２０６…通信端子、２０８…操作部、２１０…記憶部、２０２…表示部、２１２…ＣＰＵ。
【図１】
2010075560.tif 000003
【図２】
2010075560.tif 000004
【図３】
2010075560.tif 000005
【図４】
2010075560.tif 000006
【図５】
2010075560.tif 000007
【図６】
2010075560.tif 000008
【図７】
2010075560.tif 000009